(57)【要約】【課題】  土木工事、建設工事等の際に石灰系やセメント系のアルカリ性の固化用資材を使用したことによりアルカリ性化した土壌やそれらの工事で排出されるアルカリ性の汚泥、又はその他の原因でアルカリ性化した土壌や汚泥を、化学薬品や化学肥料などを使用せずに、安全に且つ確実に中和する方法の提供。【解決手段】    アルカリ性の土壌又は汚泥に、小麦フスマ、末粉、米糠等の糟糠類を添加混合して嫌気的発酵を行ってアルカリ性の土壌または汚泥の中和処理する方法。【選択図】      なし【特許請求の範囲】
【請求項１】
アルカリ性の土壌または汚泥に糟糠類を添加混合して、嫌気的発酵を行うことを特徴とするアルカリ性の土壌または汚泥の中和処理方法。
【請求項２】
アルカリ性土壌または汚泥１００質量部（乾物換算）に対して、糟糠類を２質量部（乾物換算）以上の割合で添加混合する請求項１に記載の中和処理方法。
【請求項３】
アルカリ性の土壌または汚泥１００質量部（乾物換算）に対して、水の含有量が５０〜３００質量部である状態下に嫌気的発酵を行う請求項１または２に記載の中和処理方法。
【請求項４】
糟糠類が、小麦フスマ、末粉および米糠から選ばれる少なくとも１種である請求項１〜３のいずれか１項に記載の中和処理方法。
【請求項５】
アルカリ性の土壌または汚泥が、土木工事、建設工事または土壌改良工事によりアルカリ性化した土壌、前記工事で排出されるアルカリ性化した汚泥、廃水処理または汚泥処理により排出されるアルカリ性化した汚泥、アルカリ性化した植物生育用土壌、その他の原因でアルカリ性化した土壌または汚泥、アルカリ性化した土壌または汚泥の乾燥物、沈殿物または脱水ケーキの少なくとも１種である請求項１〜４のいずれか１項に記載の中和処理方法。
【発明の詳細な説明】
【技術分野】
【０００１】
本発明は、アルカリ性の土壌または汚泥の中和処理方法に関する。より詳細には、高いｐＨを示すアルカリ性の土壌や汚泥を、化学薬品や化学肥料などを使用せずに、安全に且つ円滑に中和処理する方法に関する。
【背景技術】
【０００２】
トンネル工事、浚渫工事、ダム建設、護岸工事などの土木工事や、大規模建設工事などでは、地盤の安定化や固化などの目的で、施工時に、石灰系やセメント系などのアルカリ性の地盤（土壌）固化用資材が広く用いられている。それに伴って、石灰系やセメント系の資材が施された土壌や、そのような土木工事や建設工事で排出される汚泥中には、アルカリ性を有する石灰質成分やセメント成分が多量に含まれており、高いｐＨ（通常ｐＨ１０〜１２程度）を示すことが多い。
【０００３】
ｐＨ１０〜１２というような高いｐＨを有するアルカリ性化した土壌は、そのままでは植物が良好に生育せず、環境緑化や、植物の栽培などを円滑に行うことが困難である。その上、土壌中に含まれるアルカリ分が、雨水などに溶けて河川などに流れ込み、自然環境を破壊するなどの問題がある。
【０００４】
土木工事や建設工事に伴って排出されるアルカリ性の汚泥は、従来、遮蔽型の埋立地にそのまま埋め立てて処分したり、沈降分離した後に加圧脱水して脱水ケーキにし、その脱水ケーキを乾燥・焼成して軽量骨材にしたり、固化剤で固化して埋戻し材にして利用することが行われていた。しかしながら、そのような従来の処理方法による場合は、埋立地の確保が困難であったり、脱水ケーキから製造した軽量骨材や埋戻し材の再利用が促進されにくいなどの問題があり、円滑な処理が行われにくいものであった。
【０００５】
そこで、上記した従来技術における問題点を解消することを目的として、土木工事や建設工事の際に石灰系やセメント系のアルカリ性資材を使用することによってアルカリ性化した土壌や、土木工事や建設工事で排出される石灰質やセメント質を多く含むアルカリ性の汚泥などを中和する方法が提案されている。具体的には、（１）石灰質やセメント質が施されたアルカリ性の土壌、土木工事や建設工事などに伴って排出され石灰質やセメント質などを含むアルカリ性の汚泥または工業的に排出されるアルカリ性の廃棄物を、硫酸鉄およびイオウから選ばれる少なくとも一種と、酸性炭化物を含有させた中和剤で中和する方法（特許文献１を参照）、（２）アルカリ性粘土であるベントナイトを含む、アルカリ性の掘削残土などにフマル酸、フタル酸、安息香酸などの水に対する溶解度の低い有機酸を添加して中和する方法（特許文献２を参照）、（３）セメント系材料や石灰系材料が添加されている建設汚土、浚渫汚土等の排泥に、撹拌しながら燐酸系または硫酸系化学肥料を添加して、土粒子または土塊の表面に結晶皮膜を形成して改良土を形成する方法（特許文献３を参照）などが提案されている。
【０００６】
しかしながら、上記した特許文献１〜３に提案されている方法は、いずれも、アルカリ性の土壌、汚泥、汚土、廃棄物などを、硫酸鉄、イオウ、難水溶性有機酸、燐酸系化合物、硫酸系肥料などのような特定の化合物や化学肥料などを用いて中和するものであるために、それらの化合物や化学肥料自体によるか、または土壌、汚泥、汚土、廃棄物中に含まれるアルカリ成分とそれらの化合物や化学肥料との反応によって生成した化合物などによる土壌や河川などの二次汚染などの問題を生じ易い。また、使用する化合物や化学肥料の種類などによっては、中和処理を行う際の安全性や取扱性に問題があり、中和処理を行った後の土壌中の残留物の安全性についても注意を払う必要がある。
【０００７】
【特許文献１】特開２００２−１３８２８０号公報
【特許文献２】特開２００３−２０６３８号公報
【特許文献３】特開２００３−５５９４８号公報
【発明の開示】
【発明が解決しようとする課題】
【０００８】
本発明の目的は、トンネル工事、浚渫工事、ダム建設、護岸工事、土壌改良工事などの土木工事、大規模建設工事などの際に、石灰系やセメント系の固化用の資材を用いたことによって、アルカリ性化した土壌、そのような土木工事や建設工事で排出されるアルカリ性化した汚泥、またはその他の原因でアルカリ性化した土壌や汚泥を、化学薬品や化学肥料などを使用せずに、安全に且つ確実に中和する方法を提供することである。
特に、本発明の目的は、中和処理を施した後の土壌や汚泥中に、安全面や環境汚染などの点で問題となる化合物や物質が残留しない、安全性に優れる、アルカリ性の土壌または汚泥の中和処理方法を提供することである。
【課題を解決するための手段】
【０００９】
上記の目的を達成すべく、本発明者らは検討を重ねてきた。その結果、アルカリ性の土壌または汚泥に、小麦フスマ、末粉、米糠などの糟糠類を添加混合して、嫌気的状態で発酵させると、土壌または汚泥のｐＨが下がり、中和されること、かかる嫌気的発酵による場合は、特別な化学薬品や化学肥料などを用いないために、安全性に優れ、しかも環境汚染の問題がないことを見出した。
さらに、本発明者らは、アルカリ性の土壌または汚泥に、糟糠類を添加混合して嫌気的発酵を行うに当たっては、土壌または汚泥１００質量部（乾物換算）に対して、糟糠類を２質量部（乾物換算）以上の割合で添加混合するのが好ましいこと、またアルカリ性の土壌または汚泥１００質量部（乾物換算）に対して水の存在量を５０〜３００質量部にすると、嫌気的発酵が円滑に進行して中和が良好に行われることなどを見出して本発明を完成した。
【００１０】
すなわち、本発明は、
（１）  アルカリ性の土壌または汚泥に糟糠類を添加混合して、嫌気的発酵を行うことを特徴とするアルカリ性の土壌または汚泥の中和処理方法である。
【００１１】
さらに、本発明は、
（２）  アルカリ性土壌または汚泥１００質量部（乾物換算）に対して、糟糠類を２質量部（乾物換算）以上の割合で添加混合する前記（１）の中和処理方法；
（３）  アルカリ性の土壌または汚泥１００質量部（乾物換算）に対して、水５０〜３００質量部の存在下に嫌気的発酵を行う前記（１）または（２）の中和処理方法；
（４）  糟糠類が、小麦フスマ、末粉および米糠から選ばれる少なくとも１種である、前記（１）〜（３）のいずれかの中和処理方法；および、
（５）  アルカリ性の土壌または汚泥が、土木工事、建設工事または土壌改良工事によりアルカリ性化した土壌、前記工事で排出されるアルカリ性化した汚泥、廃水処理または汚泥処理により排出されるアルカリ性化した汚泥、アルカリ性化した植物生育用土壌、その他の原因でアルカリ性化した土壌または汚泥、アルカリ性化した土壌または汚泥の乾燥物、沈殿物または脱水ケーキの少なくとも１種である前記（１）〜（４）のいずれかの中和処理方法；
である。
【発明の効果】
【００１２】
本発明の中和処理方法による場合は、トンネル工事、浚渫工事、ダム建設、護岸工事、法面の補強工事、土壌改良工事などの土木工事、大規模建設工事などの際に石灰系やセメント系の固化用の資材を用いたことによってアルカリ性化した土壌、そのような土木工事や建設工事で排出されるアルカリ性化した汚泥、廃水処理や汚泥処理などで生ずるアルカリ性の汚泥、アルカリ性化した植物生育用土壌、土壌または汚泥の乾燥物、沈殿物または脱水ケーキ、その他の原因でアルカリ性化した土壌や汚泥を、化学薬品や化学肥料などを使用せずに、穀類由来の安全性に優れる糟糠類を用いて、安全に且つ確実に中和することができる。
本発明の中和処理方法による場合は、中和処理を施した後の土壌や汚泥中には、植物にとって肥料ともなる糟糠類の発酵生成物が含まれ、しかも安全性、環境汚染、植物の生育などの点で問題となる薬剤や化合物などが残留しない。
【００１３】
本発明の中和処理方法による場合は、中和処理後の土壌または汚泥だけではなく、糟糠類を添加混合したアルカリ性の土壌または汚泥を嫌気的状態に保つのに用いた水も中和状態になっているので、中和状態にある水を中和処理の済んだ土壌または汚泥から分離して次の中和処理に再利用することができ、その場合には、中和処理に用いた水を垂れ流したり河川に流すことがなくなり、自然環境の保護に一層役立つ。
本発明の方法で中和処理した土壌または汚泥は、中和処理がなされていて安全性、取扱性、植物生育性に優れ、しかも環境汚染を生じないので、植物生育用の培地、覆土用の土壌、環境整備用の土壌、土木工事や建設工事などであいた穴などの埋め戻し用土壌、法面吹付用緑化基盤材などの用途に有効に使用することができる。
さらに、本発明による場合は、製粉や精米の副産物である小麦フスマ、末粉、米糠などの糟糠類を有効に活用することができる。
【発明を実施するための最良の形態】
【００１４】
本発明で中和処理の対象としている「アルカリ性の土壌または汚泥」は、アルカリ性を示し、そのまま廃棄したり、放置したり、埋め戻しなどに使用すると、安全性、環境汚染、植物の生育不良などの問題を生じ易く、中和処理することが必要であるかまたは望ましい土壌または汚泥であれば、いずれもでもよく、土壌または汚泥の種類、形態（性状）、組成などは特に制限されない。そのうちでも、本発明は、ｐＨが９以上、特に１０以上の高いｐＨを有するアルカリ性の土壌または汚泥の中和処理に適している。
【００１５】
何ら限定されるものではないが、本発明の中和処理方法が適しているアルカリ性の土壌または汚泥としては、例えば、セメント質材料、石灰質材料、カルシウム系肥料などのアルカリ性の資材を地盤などの固化や補強、富栄養化などのために用いる、ダム工事、トンネル工事、浚渫工事、護岸工事、法面工事、橋脚工事などの土木工事、地盤の強化が必要な大規模土地開発や建設工事、土壌改良工事などによって発生する、アルカリ性の土壌または汚泥、廃水処理または汚泥処理によって排出されるアルカリ性の土壌または汚泥、アルカリ性化した植物生育用土壌などを挙げることができる。その際に、アルカリ性の土壌は、そのような工事で排出されたものであってもよいし、または前記したアルカリ性の資材を施された地面（土地）や地盤そのものであってもよい。また、アルカリ性の土壌や汚泥は、前記した工事で排出されたままの状態であってもよいし、沈降処理を施したものであってもよいし、圧縮ケーキの形態にしたものであってもよいし、または乾燥などのその他の処理を行ったものであってもよい。
【００１６】
本発明で用いる糟糠類としては、例えば、小麦フスマ、末粉、米糠、コーンブランなどを挙げることができ、これらの１種または２種以上を用いることができる。そのうちでも、本発明では、糟糠類として、小麦フスマ、末粉および米糠の１種または２種以上が、入手の容易性、アルカリ性の土壌または汚泥の中和性能、コスト、作業性などの点から好ましく用いられる。
【００１７】
本発明で好ましく用いられる小麦フスマは、周知のように小麦粒の外皮であり、また末粉（すえこ）は小麦粒外皮に付着する胚乳部（小麦粉）と小麦フスマを含む粉状物であり、いずれも小麦製粉時の副産物として得られる。また、米糠は、周知のように、玄米を搗精して精米をつくるときにとれる外皮と胚芽の混合物であり、澱粉も多少含まれる。
【００１８】
アルカリ性の土壌または汚泥への糟糠類の添加量は、土壌または汚泥のｐＨ、土壌または汚泥の種類、性状、中和処理後の土壌または汚泥の用途、糟糠類の種類などに応じて調整できるが、糟糠類の中和処理を円滑に進行させ得る点から、一般的には、アルカリ性の土壌または汚泥１００質量部（乾物換算）に対して、糟糠類の添加量は、乾物換算で２質量部以上であることが好ましく、５質量部以上であることがより好ましく、５〜２０質量部であることが更に好ましく、５〜１０質量部であることが特に好ましい。糟糠類の添加量が２０質量部を超えても弊害はないが、それ以上添加しても中和処理の程度や速度はそれほど向上せず、その一方でコストが高くなる。
【００１９】
本発明では、アルカリ性の土壌または汚泥に、糟糠類を添加混合して、嫌気的発酵を行うことが必要である。好気的状態で発酵させた場合には、アルカリ性の土壌または汚泥の中和が円滑に行われない。嫌気的発酵を行うためには、糟糠類を添加混合した後のアルカリ性の土壌または汚泥中での酸素含有量を少なくすればよい。アルカリ性の土壌または汚泥中の酸素含有量を少なくする方法は特に制限されず、例えば、糟糠類を添加混合した後にアルカリ性の土壌または汚泥から空気（酸素）を吸引除去する方法、水を加えて糟糠類や土壌または汚泥中に含まれている空気を排出して糟糠類や土壌または汚泥と空気の接触を断つ方法、土壌に水を添加混合した後、重機などで加圧、圧し固め、成形などを行う方法、土壌に水を添加混合した後に容器内に詰め込む方法などを採用することができる。
【００２０】
そのうちでも、嫌気的状態の形成の容易性、操作の容易性、コストなどの点から、糟糠類を添加混合したアルカリ性の土壌または汚泥に水を含有させる方法が好ましく採用される。その際の水の含有量は、アルカリ性の土壌または汚泥１００質量部（乾物換算）に対して、５０〜３００質量部、特に５０〜１００質量部程度であることが、嫌気的発酵の促進、発酵が終了した後の排水の処理の容易性やコストなどの点から好ましい。
水の含有量を上記した範囲に調整するに当たっては、アルカリ性の土壌または汚泥中に水が元々多く含まれていて、その水の含有量がアルカリ性の土壌または汚泥１００質量部（乾物換算）に対して５０質量部以上である場合は、新たに水を添加せずにそのまま嫌気的発酵を行ってもよいし、または必要に応じて更に水を加えて含水量を多くして嫌気的発酵を行ってもよい。アルカリ性の土壌または汚泥中の水分含量が少ない場合は、水分含量がアルカリ性の土壌または汚泥１００質量部（乾物換算）に対して好ましくは５０〜３００質量部の範囲になるように不足分の水を加えてから嫌気的発酵を行うとよい。
【００２１】
アルカリ性の土壌または汚泥に糟糠類を添加混合して嫌気的発酵を行わせることによって、土壌または汚泥の中和が行われる理由としては、嫌気的発酵によって酢酸、乳酸などの有機酸が生成し、その有機酸が土壌または汚泥中に含まれるアルカリ成分と反応することによって中和がなされるものと考えられる。
【００２２】
本発明では「中和処理」と称しているが、本発明の中和処理方法においては、中和処理後の土壌または汚泥のｐＨは、必ずしも７である必要はなく、中和処理後の土壌または汚泥の用途、取り扱い方（その後の処理方法）などに応じて、それぞれの状況下で許容できるｐＨにまで低下していればよい。一般的には、安全性、環境汚染の防止、植物の生育性などの点から、土壌または汚泥のｐＨが５〜９、特に５．５〜８．７程度になるまで中和処理を行うことが好ましい。
嫌気的発酵によってアルカリ性の土壌または汚泥の中和が進んでｐＨが低くなるほど（アルカリ度が低くなるほど）、一般的に土壌または汚泥の酸化還元電位（Ｅｈ）が低下する。
中和処理が進み過ぎて、土壌または汚泥のｐＨが５よりも低くなると、逆に土壌または汚泥の酸性が強くなり、安全性、環境汚染などの問題を生ずる。ｐＨが所定の値にまで低下した時点で中和処理を終了するためには、例えば、土壌または汚泥を含む混合物の水分含有量を低下させた後に、撹拌、切り返し、空気の吹き込みなどによって該混合物内に空気を取り込んで、混合物内を好気的雰囲気にする方法などを採用することができる。
【００２３】
本発明の中和処理を行うに当たっては、糟糠類と共に、必要に応じて、堆肥、嫌気的条件下で働く無害な微生物や該微生物を含有する生物資材、木材チップやその他の動植物残渣などの１種または２種以上を添加して嫌気的発酵を行ってもよい。
糟糠類と共に堆肥を添加することによって、嫌気的発酵が促進されて、中和処理期間が短縮される場合がある。
その際の堆肥としては、例えば、バーク堆肥、伐採材堆肥、剪定材堆肥、汚泥堆肥、畜糞堆肥などの１種または２種以上を用いることができる。糟糠類と共に堆肥を添加混合する場合は、アルカリ性土壌１００質量部（乾物換算）に対して、堆肥を１〜３０質量部（乾物換算）、特に５〜１０質量部の割合で添加するとよい。
また、嫌気的条件下で働く無害な微生物としては、例えば、乳酸菌、酢酸菌などの嫌気性菌などを挙げることができる。微生物同士が互いにその働きを阻害しない場合は、前記した微生物の２種以上を併用してもよい。微生物の使用量は、アルカリ性の土壌または汚泥の種類や状態、糟糠類の種類や添加量などに応じて調整することができる。無害な微生物を添加する場合は、糟糠類（乾物換算）１ｇに対して、該微生物の添加量が、１０3〜１０7個、特に１０4〜１０6個であることが、該微生物による発酵促進効果などの点から好ましい。
【００２４】
アルカリ性の土壌または汚泥の嫌気的に発酵させる際の操作や条件などは特に制限されず、アルカリ性の土壌または汚泥の種類、状態、形態、嫌気的発酵を行う場所の種類、周辺環境などに応じて選択することができる。例えば、アルカリ性の土壌または汚泥が、土木工事や建設工事などに伴って排出されたものである場合は、排出された場所で、または適当な場所に移送してから、アルカリ性の土壌または汚泥を堆積させた状態で、またはそれらの場所に設けた槽やその他の処理施設内にアルカリ性の土壌または汚泥を入れ、そこに糟糠類および必要に応じて堆肥などの他の成分を添加混合し、混合物内が嫌気的状態になるようにして［例えば、上述のように、アルカリ性の土壌または汚泥１００質量部（乾物換算）に対して５０〜３００質量部の水が含まれるようにして］、アルカリ性の土壌または汚泥のｐＨが所定のｐＨに低下するまで嫌気的発酵を行わせる方法などにより中和処理を行うことができる。
【００２５】
また、アルカリ性の地面（土地）をそのまま直接中和処理して、植物が生育し易くするためには、植物の根が生育する深さまで少なくとも土地を耕し、そこに糟糠類および必要に応じて堆肥などの他の成分を添加混合し、その部分の土地を嫌気的状態にして、アルカリ性の土壌または汚泥のｐＨが所定のｐＨに低下するまで嫌気的発酵を行わせる方法などにより中和処理を行うことができる。この場合に、耕して糟糠類を添加混合した土地を嫌気的状態に保つ方法としては、例えば、該土地に継続的または断続的に灌水チューブやその他の手段により灌水し、必要に応じてその表面部分を非通気性の合成樹脂シートやゴムシートなどで覆う方法などを挙げることができる。
【００２６】
アルカリ性の土壌または汚泥を中和処理する際の温度は、嫌気的条件下で働く微生物が死滅せずに働き得る温度であればよく、アルカリ性の土壌または汚泥の中和処理を行う場所や施設、目標とする中和処理期間などに応じて決めるとよい。一般的には、雰囲気温度が−１０〜５０℃、特に１５〜３５℃の温度であると（糟糠類を添加混合した土壌または汚泥の内温が５〜４５℃、特に１５〜３５℃であると）、中和処理が円滑に進行する。
また、中和処理の期間は、アルカリ性の土壌または汚泥のアルカリ度（ｐＨ）、処理すべき土壌または汚泥の量、添加混合する糟糠類の量、中和処理の方法、中和処理時の温度、中和処理時の嫌気状態、中和処理後の目標とするｐＨ値などに応じてそれぞれ異なる。例えば、ｐＨが１０〜１１のアルカリ性土壌１００質量部（乾物換算）に対して、小麦フスマを１０質量部（乾物換算）の割合で添加し、水の含有量を１００質量部にして、雰囲気温度２５℃で嫌気的発酵を行った場合には、約３〜１０日で、土壌のｐＨを７前後に低下させることができる。
【００２７】
本発明の中和処理による場合は、中和処理後の土壌または汚泥だけではなく、糟糠類を添加混合したアルカリ性の土壌または汚泥を嫌気的状態に保つのに用いた水も中和状態になっているので、中和処理の済んだ土壌または汚泥から水を分離して次の中和処理に再利用することができ、その場合には、中和処理に用いた水をそのまま垂れ流すことがなくなり、自然環境の保護に一層役立つ。
【００２８】
本発明の方法で中和処理した土壌または汚泥は、中和処理によってｐＨが当初よりも低くなっていて、安全性、取扱性、植物生育性に優れ、しかも環境汚染を生じないので、植物生育用の培地、覆土用の土壌、環境整備用の土壌、土木工事や建設工事などであいた穴などの埋め戻し用土壌、法面吹付用緑化基盤材などの用途に有効に使用することができる。
【実施例】
【００２９】
以下に本発明を実施例などにより具体的に説明するが、本発明は以下の例により何ら限定されない。
以下の例においてｐＨおよび酸化還元電位（Ｅｈ）の測定は次のようにして行った。
【００３０】
［ｐＨおよび酸化還元電位（Ｅｈ）の測定］
（１）  以下の例で用いた脱水ケーキ（土木工事現場で発生したセメント分を多く含む高いアルカリ性の汚泥を沈降処理した後に加圧脱水して得たケーキ）は、ほぼ乾燥した状態にあり（水分含量が少なく）、そのままではｐＨおよび酸化還元電位（Ｅｈ）の測定が困難であったので、脱水ケーキ１００質量部に対して水２００質量部を混合し、その混合物のｐＨおよび酸化還元電位（Ｅｈ）を、ｐＨ測定装置（東亜ディーケーケー株式会社製「ｐＨメーターＨＭ−５０Ｓ」）を使用して測定した。
（２）  以下の例で調製した、脱水ケーキ、バーク堆肥、糟糠類（小麦フスマまたは末粉）および水の混合物；脱水ケーキ、糟糠類（小麦フスマまたは末粉）および水の混合物；或いは脱水ケーキと水の混合物については、上記（１）で使用したのと同じｐＨ測定装置を使用して、そのｐＨおよび酸化還元電位（Ｅｈ）を測定した。
【００３１】
また、脱水ケーキ、糟糠類（小麦フスマまたは末粉）およびバーク堆肥の水分含量は、次のようにして求めた。
［脱水ケーキ、糟糠類およびバーク堆肥の水分含量］
脱水ケーキ、糟糠類またはバーク堆肥（乾燥前の質量Ｗ0）を温度１０５℃で、質量の減少がなくなるまで乾燥し、その時の質量（Ｗ1）を測定し、下記の式（１）から、脱水ケーキ、糟糠類またはバークの水分含量（含水率）（質量％）を求めた。
水分含量（質量％）＝｛（Ｗ0−Ｗ1）／Ｗ0｝×１００    ・・・（１）
【００３２】
《実施例１》
脱水ケーキ（土木工事現場で発生したセメント分を多く含む高いアルカリ性の汚泥を沈降処理した後に加圧脱水して得たケーキ；ｐＨ＝１０．５；水分含量＝１７質量％）の粉砕物５８０質量部に、小麦フスマ（水分含量＝１４質量％）を下記の表１に示す量で添加混合し、さらに水を１０００質量部の量で混合してそれぞれの混合物を調製し、それぞれの混合物の混合直後のｐＨおよび酸化還元電位（Ｅｈ）を測定した後、それぞれの混合物を雰囲気温度２５℃で３日間嫌気的に発酵させて、３日後における混合物のｐＨおよび酸化還元電位（Ｅｈ）を測定したところ、下記の表１に示すとおりであった。
【００３３】
【表１】
2005060608.tif 000002
【００３４】
上記の表１にみるように、脱水ケーキに水だけを加えた実験番号１では、３日後もｐＨおよび酸化還元電位（Ｅｈ）が殆ど低下しなかった。
それに対して、脱水ケーキに小麦フスマと水を混合して嫌気的発酵を行った実験番号２〜４では、３日後にｐＨおよび酸化還元電位（Ｅｈ）が低下しており、特に小麦フスマの混合量が多くなるほどｐＨおよび酸化還元電位（Ｅｈ）が大きく低下した。
【００３５】
《実施例２》
実施例１で使用したのと同じ脱水ケーキの粉砕物５８０質量部に、バーク堆肥（水分含量＝４０質量％；さかえ農事有限会社製）を８０ｇ、および小麦フスマ（水分含量＝１４質量％）を下記の表２に示す量で添加混合し、さらに水を１０００質量部の量で混合してそれぞれの混合物を調製し、それぞれの混合物の混合直後のｐＨおよび酸化還元電位（Ｅｈ）を測定した後、それぞれの混合物を雰囲気温度２５℃で１５日間嫌気的に発酵させて、３日後、１０日後および１５日後における混合物のｐＨおよび酸化還元電位（Ｅｈ）を測定したところ、下記の表２に示すとおりであった。なお、表２に示すように、実験番号７および８では、１０日後にｐＨがそれぞれ８．８および６．７まで低下したため、１０日で中和処理を終了した。また、１５日後はｐＨのみを測定した。
【００３６】
【表２】
2005060608.tif 000003
【００３７】
上記の表２にみるように、脱水ケーキにバーク堆肥と水だけを加えた実験番号５では、３日後および１０日後にｐＨおよび酸化還元電位（Ｅｈ）が低下しておらず、むしろ多少上昇した。
それに対して、脱水ケーキに小麦フスマと水を混合して嫌気的発酵を行った実験番号６〜８では、３日後および１０日後（実験番号７と８）、または１５日後（実験番号６）にｐＨおよび酸化還元電位（Ｅｈ）が低下した。特に実験番号８では、１０日後にｐＨが６．６７まで低下し、中和が完全になされていた。
【００３８】
《実施例３》
実施例１で使用したのと同じ脱水ケーキの粉砕物５８０質量部に、実施例２で使用したのと同じバーク堆肥を８０ｇ、および末粉（水分含量＝１３質量％；日清製粉株式会社製「赤花」）を３３質量部の割合で添加混合し、さらに水を５００質量部の量で添加して混合物を調製し、その混合物の混合直後のｐＨおよび酸化還元電位（Ｅｈ）を測定した後、雰囲気温度２５℃で１０日間嫌気的に発酵させた。その結果、混合直後のｐＨは１０．６６、酸化還元電位（Ｅｈ）は１９０ｍＶであったのが、３日後にはｐＨが１０．５１、酸化還元電位（Ｅｈ）が−３６４ｍＶに、１０日後にはｐＨが８．３３、酸化還元電位（Ｅｈ）が−６６８ｍＶまで低下し、アルカリ性の脱水ケーキの中和処理を良好に行うことができた。
【００３９】
《実施例４》
実施例１で使用したのと同じ脱水ケーキの粉砕物５８０質量部に、実施例２で使用したのと同じバーク堆肥を８０ｇ、および小麦フスマ（水分含量＝１４質量％）を６６質量部の量で添加混合し、さらに水を下記の表３に示す量で混合してそれぞれの混合物を調製し、それぞれの混合物の混合直後のｐＨおよび酸化還元電位（Ｅｈ）を測定した後、それぞれの混合物を雰囲気温度２５℃で３日間発酵させて、３日後における混合物のｐＨおよび酸化還元電位（Ｅｈ）を測定したところ、下記の表３に示すとおりであった。
【００４０】
【表３】
2005060608.tif 000004
【００４１】
上記の表３にみるように、実験番号９では、脱水ケーキにバーク堆肥と小麦フスマだけを添加混合し水を混合しなかったために、嫌気的状態にならず、好気的発酵が行われた結果、脱水ケーキの中和処理がほとんど進行せず、混合物の３日後のｐＨおよび酸化還元電位（Ｅｈ）は混合直後に比べてわずかしか低下していなかった。
それに対して、実験番号１０〜１４では、脱水ケーキにバーク堆肥および小麦フスマと共に、十分な量の水を混合し、嫌気的発酵を行った結果、脱水ケーキの中和処理が進行し、３日後に混合物のｐＨおよび酸化還元電位（Ｅｈ）が混合直後に比べて大きく低下していた。
【産業上の利用可能性】
【００４２】
本発明は、土木工事、建設工事、土壌改良工事などの際に、石灰系やセメント系のアルカリ性の固化用の資材を用いたことによりアルカリ性化した土壌、そのような土木工事や建設工事で排出されるアルカリ性化した汚泥、廃水処理や汚泥処理により排出されるアルカリ性化した汚泥、アルカリ性化した植物生育用土壌、その他の原因でアルカリ性化した土壌や汚泥土壌、アルカリ性化した土壌または汚泥の乾燥物、沈殿物または脱水ケーキなどの中和処理のために有効に利用することができる。
本発明の方法で中和処理した土壌または汚泥は、中和処理によってｐＨが当初よりも低くなっていて、安全性、取扱性、植物生育性に優れ、しかも環境汚染を生じないので、植物生育用の培地、覆土用の土壌、環境整備用の土壌、土木工事や建設工事などであいた穴などの埋め戻し用土壌、法面吹付緑化用基盤材などの用途に有効に利用することができる。